(57)【要約】【課題】回転ブラシの洗浄や交換がより便利である掃除機用床ブラシ等を提供する。【解決手段】掃除機用床ブラシ（１）であって、床ブラシ本体（１０）と、回転ブラシ（３０１）と、回転ブラシカバー（２０）とを含む。床ブラシ本体（１０）には、上下に貫通する開口を有する取付溝（１１）が設けられている。回転ブラシ（３０１）は、取付溝（１１）に回転可能に取り付けられている。回転ブラシカバー（２０）は、回転ブラシ（３０１）に被せるように設けられ、且つ一端が床ブラシ本体（１０）に挿入して接続し、他端が床ブラシ本体（１０）に係合する。【選択図】  図１
2017121465.tif 000002
【特許請求の範囲】
【請求項１】
上下に貫通する開口を有する取付溝が設けられた床ブラシ本体と、
前記取付溝に回転可能に取り付けられる回転ブラシと、
前記回転ブラシに被せるように設けられ、且つ一端が前記床ブラシ本体に挿入して接続し、他端が前記床ブラシ本体に係合する回転ブラシカバーとを含む、
ことを特徴とする掃除機用床ブラシ。
【請求項２】
前記回転ブラシカバーの前記一端の底壁面と前記床ブラシ本体のうち、その一方に少なくとも一つの突起が設けられ、他方に前記突起に結合する少なくとも一つの凹溝が設けられ、前記突起が前記凹溝に対し挿抜可能である、
ことを特徴とする請求項１に記載の掃除機用床ブラシ。
【請求項３】
前記突起と前記凹溝は、それぞれ複数であり、複数の前記突起と複数の前記凹溝が一対一に対応する、
ことを特徴とする請求項２に記載の掃除機用床ブラシ。
【請求項４】
前記回転ブラシカバーの前記他端の外側壁には、係合溝が開けられており、前記床ブラシ本体には、前記係合溝に結合するスナップが設けられており、前記スナップの一端は、前記取付溝の側壁から突出して前記係合溝に係合する、
ことを特徴とする請求項１〜３のいずれか一項に記載の掃除機用床ブラシ。
【請求項５】
前記床ブラシ本体の上端面には、内部に解放キーが取り付けられた取付孔が開けられており、前記取付孔の側壁には、前記取付溝の側壁を貫通する連通孔が開けられており、前記スナップの他端は、前記解放キーの下端に接続し、
前記解放キーを押すことで、前記連通孔内において前記取付溝の側壁に接近するう又は離れる方向に前記スナップを移動させることができる、
ことを特徴とする請求項４に記載の掃除機用床ブラシ。
【請求項６】
前記取付孔における前記連通孔に対向する側壁と前記解放キーとの間に弾性部材が支持されており、前記弾性部材は、常に前記取付溝の側壁に接近する方向に前記解放キーを押し、前記スナップの前記一端を前記取付溝の側壁から突出させる、
ことを特徴とする請求項５に記載の掃除機用床ブラシ。
【請求項７】
前記回転ブラシカバーの前記他端の外側壁には、スナップが設けられており、前記床ブラシ本体には、前記スナップに結合する係合溝が設けられており、前記スナップは、前記係合溝に係合する、
ことを特徴とする請求項１〜３のいずれか一項に記載の掃除機用床ブラシ。
【請求項８】
前記回転ブラシカバーには、トリガー部が設けられており、前記床ブラシ本体には、マイクロスイッチが設けられており、
前記回転ブラシカバーが前記床ブラシ本体に被せて結合すると、前記トリガー部は、前記マイクロスイッチをトリガーして、前記回転ブラシに接続する制御回路をオンにし、
前記回転ブラシカバーが開くと、前記トリガー部は、マイクロスイッチに対するトリガー作用を解除して、前記制御回路をオフにする、
ことを特徴とする請求項１〜７のいずれか一項に記載の掃除機用床ブラシ。
【請求項９】
前記回転ブラシカバーが前記床ブラシ本体に被せて結合すると、前記トリガー部は、前記マイクロスイッチに直接接触して前記マイクロスイッチをトリガーする、
ことを特徴とする請求項８に記載の掃除機用床ブラシ。
【請求項１０】
前記マイクロスイッチは、
前記床ブラシ本体に固定されて、且つ前記制御回路に接続する固定部材と、
前記固定部材に設けられる弾性部材と、
前記固定部材に設けられ、前記弾性部材と前記固定部材との間に位置するボタンとを含み、
前記トリガー部は、前記弾性部材を介して前記ボタンを押圧することにより、前記制御回路をオンにし、
前記トリガー部が前記弾性部材から離れると、前記ボタンが復帰し、前記制御回路をオフにする、
ことを特徴とする請求項８又は９に記載の掃除機用床ブラシ。
【請求項１１】
前記床ブラシ本体に設けられ、前記マイクロスイッチと結合する伝動部材を更に含み、
前記回転ブラシカバーが前記床ブラシ本体に被せて結合すると、前記トリガー部は、前記伝動部材をトリガーして、前記伝動部材を介して前記マイクロスイッチを間接的にトリガーする、
ことを特徴とする請求項８に記載の掃除機用床ブラシ。
【請求項１２】
請求項１〜１１のいずれか一項に記載の掃除機用床ブラシを含むことを特徴とする掃除機。
【発明の詳細な説明】
【技術分野】
【０００１】
本発明は、掃除機の技術分野に関し、特に掃除機用床ブラシ及びそれを具備する掃除機に関する。
【背景技術】
【０００２】
従来技術において、従来の掃除機の回転ブラシの洗浄や交換時に、回転ブラシを床ブラシの底部から取り出しや挿入する必要がある。それは、まず床ブラシを反転させる必要があり、そうしないと回転ブラシを洗浄や交換ができない。よって、操作が面倒であり、使用が不便である。また、回転ブラシカバーが開放しても、回転ブラシが動作するため、使用者を誤って傷つける恐れがある。
【発明の概要】
【発明が解決しようとする課題】
【０００３】
本発明の目的は、従来技術における少なくとも一つの技術的課題を解決することである。本発明の一つの目的は、回転ブラシの洗浄や交換がより便利である掃除機用床ブラシを提供することである。
【０００４】
本発明の別の目的は、上述した床ブラシを含む掃除機を提供することである。
【課題を解決するための手段】
【０００５】
本発明の第１態様の掃除機用床ブラシは、上下に貫通する開口を有する取付溝が設けられた床ブラシ本体と、前記取付溝に回転可能に取り付けられる回転ブラシと、前記回転ブラシに被せるように設けられ、且つ一端が前記床ブラシ本体に挿入して接続し、他端が前記床ブラシ本体に係合する回転ブラシカバーとを含む。
【０００６】
本発明の実施形態による掃除機用床ブラシにおいて、床ブラシ本体には、上下に貫通する開口を有する取付溝が設けられる。回転ブラシは、取付溝に回転可能に取り付けられ、取付溝の下端開口を通しててカーペットなどを清掃することにより、正常な清掃機能が実現される。回転ブラシの洗浄や交換時、まず回転ブラシカバーの前記他端と床ブラシ本体の係合を解除し、それから回転ブラシカバーの前記一端を床ブラシ本体から抜き出し、回転ブラシを取付溝の上端の開口から取り出すだけで、回転ブラシの洗浄や交換を便利に行うことができ、操作が簡単であり、使用が便利であり、手間がかからない。床ブラシを反転させてからの回転ブラシ交換による操作の不便、使用上の不便という従来技術における問題を解決し、ユーザによる使用の便利さが向上する。
【０００７】
本発明の一つの実施形態において、前記回転ブラシカバーの前記一端の底壁面と前記床ブラシ本体のうち、その一方に少なくとも一つの突起が設けられ、他方に前記突起に結合する少なくとも一つの凹溝が設けられ、前記突起が前記凹溝に対し挿抜可能である。
【０００８】
本発明の一つの実施形態において、前記突起と前記凹溝は、それぞれ複数であり、複数の前記突起と複数の前記凹溝が一対一に対応する。
【０００９】
本発明の一つの実施形態において、前記回転ブラシカバーの前記他端の外側壁には、係合溝が開けられており、前記床ブラシ本体には、前記係合溝に対応するスナップが設けられており、前記スナップの一端は、前記取付溝の側壁から突出して前記係合溝に係合する。
【００１０】
本発明の一つの実施形態において、前記床ブラシ本体の上端面には、内部に解放キーが取り付けられた取付孔が開けられており、前記取付孔の側壁には、前記取付溝の側壁を貫通する連通孔が開けられており、前記スナップの他端は、前記解放キーの下端に接続し、前記解放キーを押すことで、前記連通孔内において前記取付溝の側壁に接近する又は離れる方向に前記スナップを移動させることができる。
【００１１】
本発明の一つの実施形態において、前記取付孔における前記連通孔に対向する側壁と前記解放キーとの間に弾性部材が支持されており、前記弾性部材は、常に前記取付溝の側壁に接近する方向に前記解放キーを押し、前記スナップの前記一端を前記取付溝の側壁から突出させる。
【００１２】
本発明の一つの実施形態において、前記回転ブラシカバーの前記他端の外側壁には、スナップが設けられており、前記床ブラシ本体には、前記スナップに結合する係合溝が設けられており、前記スナップは、前記係合溝に係合する。
【００１３】
本発明の一つの実施形態において、前記回転ブラシカバーには、トリガー部が設けられており、前記床ブラシ本体には、マイクロスイッチが設けられている。前記回転ブラシカバーが前記床ブラシ本体に被せて結合すると、前記トリガー部は、前記マイクロスイッチをトリガーして、前記回転ブラシに接続する制御回路をオンにし、前記回転ブラシカバーが開くと、前記トリガー部は、マイクロスイッチに対するトリガー作用を解除して、前記制御回路をオフにする。
【００１４】
本発明の一つの実施形態において、前記回転ブラシカバーが前記床ブラシ本体に被せて結合すると、前記トリガー部は、前記マイクロスイッチに直接接触して前記マイクロスイッチをトリガーする。
【００１５】
本発明の一つの実施形態において、前記マイクロスイッチは、前記床ブラシ本体に固定されて、且つ前記制御回路に接続する固定部材と、前記固定部材に設けられる弾性部材と、前記固定部材に設けられ、前記弾性部材と前記固定部材との間に位置するボタンとを含む。前記トリガー部は、前記弾性部材を介して前記ボタンを押圧することにより、前記制御回路をオンにし、前記トリガー部が前記弾性部材から離れると、前記ボタンが復帰し、前記制御回路をオフにする。
【００１６】
本発明の一つの実施形態において、前記床ブラシ本体に設けられ、前記マイクロスイッチと結合する伝動部材を更に含む。前記回転ブラシカバーが前記床ブラシ本体に被せて結合すると、前記トリガー部は、前記伝動部材をトリガーして、前記伝動部材を介して前記マイクロスイッチを間接的にトリガーする。
【００１７】
本発明の第２態様の掃除機は、上述した本発明の第１態様の掃除機用床ブラシを含む。
【００１８】
本発明の付加的な特徴及び利点は、以下の説明において部分的に示され、この説明から一部が明らかになるか、または、本発明の実施により理解され得る。
【図面の簡単な説明】
【００１９】
本発明の上述および／または付加的な特徴と利点は、下記の添付図面を参照した実施形態に対する説明により、明らかになり、理解されることが容易になる。
【図１】本発明の実施形態による掃除機用床ブラシの立体構造模式図である。
【図２】図１におけるＡ´部の拡大模式図である。
【図３】本発明の実施形態による掃除機用床ブラシの模式図であり、前記回転ブラシカバーが開放状態にある。
【図４】図３にマークされるＡ部の拡大模式図である。
【図５】図３に示す掃除機用床ブラシの模式図であり、前記回転ブラシカバーが閉鎖状態にある。
【図６】図５にマークされるＢ部の拡大模式図である。
【発明を実施するための形態】
【００２０】
以下に、本発明の実施形態を詳細に説明する。前記実施形態の例が図面に示されるが、同一または類似する符号は、常に、相同又は類似の部品、或いは、相同又は類似の機能を有する部品を表す。以下に、図面を参照しながら説明される実施形態は例示的なものであり、本発明を解釈するためだけに用いられ、本発明を限定するものと理解されてはならない。
【００２１】
本発明の説明において、「中心」、「上」、「下」、「前」、「後」、「左」、「右」、「鉛直」、「水平」、「頂」、「底」、「内」、「外」などの用語が示す方位又は位置関係は、図示に基づく方位又は位置関係であり、本発明を便利にまたは簡単に説明するために使用されるものであり、指定された装置又は部品が特定の方位にあり、特定の方位において構造され操作されると指示又は暗示するものではないので、本発明に対する限定と理解してはいけない。
【００２２】
なお、「第１」、「第２」の用語は目的を説明するためだけに用いられるものであり、比較的な重要性を指示又は暗示するか、或いは示された技術的特徴の数を黙示的に指示すると理解してはいけない。そこで、「第１」、「第２」が限定されている特徴は一つ又はより多くの前記特徴を含むことを明示又は暗示するものである。本発明の説明において、特に断りがなければ、「複数」とは、二つ又は二つ以上を意味する。
【００２３】
以下、本発明の第１実施形態による掃除機（図示せず）用の床ブラシ１０について、図１〜図６を参考して記載する。
【００２４】
図１と図２に示すように、本発明の第１実施形態による掃除機用床ブラシ１は、床ブラシ本体１０と、回転ブラシ３０１と、回転ブラシカバー２０とを含む。
【００２５】
床ブラシ本体１０には、上下に貫通する開口を有する取付溝１１が設けられている。回転ブラシ３０１は、取付溝１１に回転可能に取り付けられている。回転ブラシカバー２０は、回転ブラシ３０１に被せるように設けられ、且つ一端が床ブラシ本体１０に挿入して接続し、他端が床ブラシ本体１０に係合する。
【００２６】
本発明の実施形態による掃除機用床ブラシ１において、床ブラシ本体１０には、上下に貫通する開口を有する取付溝１１が設けられる。回転ブラシ３０１は、取付溝１１に回転可能に取り付けられ、取付溝１１の下端開口を通してカーペットなどを清掃することにより、正常な清掃機能が実現される。回転ブラシ３０１の洗浄や交換時、まず回転ブラシカバー２０の前記他端と床ブラシ本体１０の係合を解除し、それから回転ブラシカバー２０の前記一端を床ブラシ本体１０から抜き出し、回転ブラシ３０１を取付溝１１の上端の開口から取り出すだけで、回転ブラシ３０１の洗浄や交換を便利に行うことができ、操作が簡単であり、使用が便利であり、手間がかからない。床ブラシ１を反転させてからの回転ブラシ３０１交換による操作の不便、使用上の不便という従来技術における問題を解決し、ユーザによる使用の便利さが向上する。
【００２７】
本発明の一部の実施形態において、回転ブラシカバーの前記一端の底壁面と床ブラシ本体のうち、その一方に少なくとも一つの突起が設けられ、他方に突起に結合する少なくとも一つの凹溝が設けられ、突起が凹溝に対し挿抜可能である。
【００２８】
具体的に、図１に示すように、回転ブラシカバー２０の前記一端の底壁面には、突起３１が設けられ、床ブラシ本体１０には、突起３１に結合する凹溝１２が設けられ、突起３１が凹溝１２に対し挿抜可能である。
【００２９】
上述した実施形態において、回転ブラシカバー２０を被せて結合する時に、まず回転ブラシカバー２０の一端の突起３１を係合溝に差し込み、回転ブラシカバー２０の位置が周方向に限定される。それから回転ブラシカバー２０の他端を床ブラシ本体１０に係合し、回転ブラシカバー２０を床ブラシ本体１０に取り付ける。回転ブラシ３０１を取り出すとき、回転ブラシカバー２０の他端と床ブラシ本体１０の係合を解除し、それから回転ブラシカバー２０の一端の突起３１を凹溝１２から抜き出し、回転ブラシカバー２０を取り出し、床ブラシ１０を取り出す。簡単で便利に行われる。
【００３０】
突起と凹溝がそれぞれ複数であり、一対一に対応することが好ましい。図１に示すように、回転ブラシカバー２０の一端には、複数の突起３１が設けられ、床ブラシ本体１０には、複数の突起３１に一対一に対応する複数の凹溝１２が設けられている。
【００３１】
上述した実施形態において、複数の突起３１と複数の凹溝１２を設けることにより、回転ブラシカバー２０を回転ブラシ３０１にしっかり固定させ、回転ブラシカバー２０の他端が容易に床ブラシ本体１０に係合する。且つ、回転ブラシカバー２０が受ける力のバランスを取り、更に回転ブラシカバー２０と床ブラシ本体１０の係合に有利である。
【００３２】
もちろん、本発明は、これに限定されない。回転ブラシカバー２０の前記一端の底壁面に凹溝１２を開け、凹溝１２に結合する突起３１を床ブラシ本体１０に設けるとしてもよく、突起３１が凹溝１２に対し挿抜可能である。
【００３３】
上述した実施形態において、回転ブラシカバー２０の前記一端に凹溝１２を開け、突起３１を床ブラシ本体１０に設けしても、同様に、回転ブラシカバー２０が床ブラシ本体１０に対し容易に着脱し、床ブラシ１の着脱が簡単で便利に行われる。
【００３４】
本発明の一つの実施形態において、図１と図２に示すように、回転ブラシカバー２０の他端の外側壁には、係合溝が開けられており、床ブラシ１０には、係合溝に対応するスナップ１３が設けられており、スナップ１３の一端が取付溝１１の側壁から突出して係合溝に係合する。
【００３５】
図１と図２に示すように、床ブラシ１０の上端面には、内部に解放キー１５が取り付けられた取付孔１４が開けられており、取付孔１４の側壁には、取付溝１１の側壁を貫通する連通孔１６が開けられており、スナップ１３の他端が解放キー１５の下端に接続する。解放キー１５を押すことにより、連通孔１６において取付溝１１の側壁に接近する又は離れる方向にスナップ１３を移動させることができる。
【００３６】
更に、図１と図２に示すように、取付孔１４における連通孔１６に対向する側壁と解放キー１５との間に弾性部材が支持されている。弾性部材は、常に取付溝１１の側壁に接近する方向に解放キー１５を押すことができ、スナップ１３の一端を取付溝１１の側壁から突出させる。
【００３７】
上述した実施形態において、回転ブラシカバー２０の他端と床ブラシ本体１０とは、スナップ１３と係合溝の係合固定方式が用いられることによって、回転ブラシカバー２０と床ブラシ本体１０をしっかり固定し、固定の信頼性が優れる。解放キー１５と弾性部材の結合という方式を用いることにより、回転ブラシカバー２０を被せて結合するとき、その過程で、スナップ１３の一端を連通孔１６内押し込むとともに、弾性部材を圧縮して弾性ポテンシャルエネルギーを弾性部材に蓄積させる。回転ブラシカバー２０が完全に被せて結合されると、係合溝は、ちょうどスナップ１３に対応する位置に位置する。このとき、釈放される弾性部材の弾性ポテンシャルエネルギーにより、スナップ１３の一端が取付溝１１の側壁から突出し、係合溝に係合するように押され、回転ブラシカバー２０と床ブラシ本体１０がしっかり固定される。回転ブラシカバー２０を開くとき、手動で解放キー１５を押す。よって、スナップ１３は、解放キー１５に追従して取付溝１１の側壁から離れる方向に移動し、スナップ１３の一端が連通孔１６内に縮む。このとき、スナップ１３と係合溝の係合が解除され、回転ブラシカバー２０の他端と床ブラシ本体１０との間の作用力がなくなり、回転ブラシカバー２０を床ブラシ本体１０から抜き出す。このとき、弾性部材の弾性により、スナップ１３の一端は、再び取付溝１１の側壁から突出する。このように循環すると、回転ブラシカバー２０の開閉機能が実現され、構造が簡単であり、操作が便利であり、簡単に且つ容易に行われる。
【００３８】
本発明の別の実施形態において、回転ブラシカバー２０の他端の外側壁にはスナップ１３が設けられ、床ブラシ本体１０にはスナップ１３に結合する係合溝が設けられ、スナップ１３が係合溝に係合する。
【００３９】
上述した実施形態において、回転ブラシカバー２０にスナップ１３を設け、対応的に床ブラシ本体１０に係合溝を設ける。スナップ１３と係合溝の結合により、同様に、回転ブラシカバー２０の他端と床ブラシ本体１０との固定接続又は接離接続で回転ブラシカバー２０を容易に開閉するという目的を実現することができるが、ここでは繰り返して説明しない。
【００４０】
本発明の一つの実施形態において、床ブラシ本体１０には、回転ブラシ３０１に接続する駆動アセンブリーが設けられている。駆動アセンブリーは、回転ブラシ３０１を床ブラシ本体１０に対し回転駆動する。
【００４１】
図３〜図６に示すように、回転ブラシカバー２０には、トリガー部２０３が設けられており、床ブラシ本体１０には、マイクロスイッチ４０が設けられている。回転ブラシカバー２０が床ブラシ本体１０に被せて結合すると、トリガー部２０３がマイクロスイッチ４０をトリガーし、回転ブラシに接続する制御回路をオンにする。回転ブラシカバー２０が開くと、トリガー部２０３がマイクロスイッチ４０に対するトリガー作用を解除して、制御回路をオフにする。
【００４２】
図３と図５に示すように、回転ブラシカバー２０は、開閉可能に床ブラシ本体１０に設けられ、回転ブラシカバー２０と床ブラシ本体１０の間に取付空間が区画される。即ち、回転ブラシカバー２０が床ブラシ本体１０に被せて結合することができ、床ブラシ本体１０と結合して取付空間を形成する。回転ブラシアセンブリーは、取付空間に設けられ、制御回路を有する。回転ブラシカバーには、マイクロスイッチ４０との結合に適したトリガー部２０３が設けられている。
【００４３】
マイクロスイッチ４０は、床ブラシ本体１０に設けられ、回転ブラシアセンブリーの制御回路に電気的に接続し、制御回路のオンオフを制御する。マイクロスイッチ４０は、床ブラシ本体１０に設けられ、回転ブラシカバー２０が床ブラシ本体１０に被せて結合するとき、トリガー部２０３がマイクロスイッチ４０を動作させ、制御回路をオンにする。回転ブラシカバー２０が開くと、トリガー部２０３がマイクロスイッチ４０に対するトリガー作用を解除して、制御回路をオフにする。
【００４４】
よって、回転ブラシカバー２０にトリガー部２０３を設け、トリガー部２０３とマイクロスイッチ４０が結合する。回転ブラシカバー２０を被せて結合する時に、トリガー部２０３が直接又は間接的にマイクロスイッチ４０をトリガーして、回転ブラシー３０１を正常に作動させる。一方、回転ブラシカバー２０が開く時に、トリガー部２０３のマイクロスイッチ４０に対するトリガー作用が解除され、回転ブラシー３０１の作動を停止させる。よって、使用者の誤操作で回転ブラシカバー２０を開いたときに、回転ブラシー３０１で使用者を誤って傷つけることを避ける。製品の安全性が向上し、製品の市場競争力が高まる。
【００４５】
具体的に、回転ブラシカバー２０は、全体的に床ブラシ本体１０に回転可能に接続し、反転することにより開閉してもよく、床ブラシ本体１０に係合又は挿入して接続してもよく、即ち、取り外すことにより開閉し、全体として床ブラシ本体１０に被せて結合したり、全体として床ブラシ本体１０から離れることで開く。
【００４６】
本発明の一部の実施形態において、図３と図５に示すように、回転ブラシカバー２０は、床ブラシ本体１０と結合して取付空間を形成する蓋体２０１と、蓋体２０１と床ブラシ本体１０との間に接続して蓋体２０１を床ブラシ本体１０に接続する接続部とを含む。ここで、トリガー部２０３は、蓋体２０１と接続部のうちのいずれか一つに設けられる。つまり、トリガー部２０３は、蓋体２０１に設けられてもよく、接続部に設けられてもよい。
【００４７】
上述した実施形態において、回転ブラシカバー２０は、蓋体２０１と接続部とを含む。蓋体２０１は、床ブラシ本体１０と結合して取付空間を形成し、回転ブラシー３０１を被せて、回転ブラシー３０１の作動時に使用者を傷つけることを回避し、床ブラシ１０の安全性を向上させる。取付空間に位置する回転ブラシアセンブリーは、蓋体２０１に設けられてもよく、床ブラシ本体１０に設けられてもよい。回転ブラシアセンブリーは、床ブラシ本体１０に設けられることが好ましく、構造が簡単であり、装着もより便利に行われる。接続部は、蓋体２０１と接続して床ブラシ本体１０と結合する。接続部は、蓋体２０１を床ブラシ本体１０に固定させ、回転ブラシカバー２０が床ブラシ本体１０から脱離することを回避し、床ブラシ１０の安全性を更に向上させる。
【００４８】
本発明の一部の実施形態において、図３〜図６に示すように、接続部は、回転軸２０２を含む。蓋体２０１は、回転軸２０２を介して回転して床ブラシ本体１０に被せて結合する。トリガー部２０３は、回転軸２０２に設けられる。蓋体２０１が回転して被せると、回転軸２０２が回転し、トリガー部２０３によりマイクロスイッチ４０をトリガーする。
【００４９】
当該実施形態において、回転ブラシカバー２０が回転して床ブラシ本体１０に被せて結合する技術案について、回転ブラシカバー２０が回転軸２０２の回転により床ブラシ本体１０に被せて結合すると、トリガー部２０３を回転軸２０２に設ける。よって、回転して閉鎖すると、トリガー部２０３も、蓋体２０１が完全に床ブラシ本体１０に被せて結合するまで、回転軸２０２に追従して回転する。そのとき、トリガー部２０３もちょうどマイクロスイッチ４０に対応する位置に回転し、マイクロスイッチ４０をトリガーし、回転ブラシアセンブリーの制御回路のオンにし、掃除機の正常な動作を確保する。一方、蓋体２０１が回転し開くと、トリガー部２０３も回転してマイクロスイッチ４０から離間し、回転ブラシアセンブリーの制御回路が直ちにオフになる。すると、回転ブラシー３０１が直ちに作動しなくなり、回転ブラシー３０１で使用者を誤って傷つけることを効果的に回避し、床ブラシ１０の安全性を向上させる。
【００５０】
本発明の別の実施形態において、接続部は、回転軸２０２を含む。蓋体２０１は、回転軸２０２を介して回転して床ブラシ本体１０に被せて結合する。トリガー部２０３は、蓋体２０１に設けられる。蓋体２０１が回転して被せると、トリガー部２０３がマイクロスイッチ４０をトリガーする。
【００５１】
当該実施形態において、接続部に回転軸２０２を含み、即ち、回転ブラシカバー２０が回転して床ブラシ本体１０に被せて結合する。すると、蓋体２０１に位置するトリガー部２０３も蓋体２０４に追従して回転する。蓋体２０１が完全に床ブラシ本体１０に被せて結合すると、トリガー部２０３もちょうどマイクロスイッチ４０に対応する位置に回転し、マイクロスイッチ４０をトリガーし、回転ブラシアセンブリーの制御回路のオンにし、掃除機の正常な動作を確保する。一方、蓋体２０１が回転して開くとき、トリガー部２０３も回転してマイクロスイッチ４０から離れ、回転ブラシアセンブリーの制御回路が直ちにオフになり、回転ブラシー３０１が直ちに作動しなくなり、回転ブラシー３０１で使用者を誤って傷つけることを効果的に回避し、床ブラシ１０の安全性が向上する。
【００５２】
本発明の別の実施形態において、接続部は、係合部材と挿入部材の少なくとも一つを含む。回転ブラシカバー２０は、係合部材と挿入部材の上述の少なくとも一つを介して床ブラシ本体１０に接続する。ここで、トリガー部２０３は、蓋体２０１に設けられている。
【００５３】
当該実施形態において、接続部は、係合部材及び／又は挿入部材を含み、即ち、回転ブラシカバー２０は、係合及び／又は挿入方式で床ブラシ本体１０に被せて結合する。すると、蓋体２０４に位置するトリガー部２０３は、蓋体２０１が床ブラシ本体１０に被せて結合するときにだけ、マイクロスイッチ４０をトリガーし、回転ブラシアセンブリーの制御回路のオンにし、掃除機を正常に作動させる。一方、蓋体２０１が床ブラシ本体１０から離れると、トリガー部２０３がマイクロスイッチ４０から離れ、マイクロスイッチ４０が復帰し、回転ブラシアセンブリーの制御回路が直ちにオフになり、回転ブラシー３０１が直ちに作動しなくなり、回転ブラシー３０１で使用者を誤って傷つけることを効果的に回避し、床ブラシ１０の安全性が向上する。
【００５４】
本発明の一部の実施形態において、図５と図６に示すように、回転ブラシカバー２０が床ブラシ本体１０に被せて結合すると、トリガー部２０３は、マイクロスイッチ４０に直接接触してマイクロスイッチ４０をトリガーする。
【００５５】
更に、図４と図６に示すように、マイクロスイッチ４０は、床ブラシ本体１０に固定されて、且つ制御回路に接続する固定部材４０１と、固定部材４０１に設けられる弾性部材４０２と、固定部材４０１に設けられ、弾性部材４０２と固定部材４０１との間に位置するボタン４０３とを含む。トリガー部２０３は、弾性部材４０２を介してボタン４０３を押圧することにより、制御回路をオンにする。トリガー部２０３が弾性部材４０２から離れると、ボタン４０３が復帰し、、制御回路がオフになる。
【００５６】
更に、弾性部材４０２は、固定部材４０１に回転可能に設けられる。回転ブラシカバー２０が被せて結合する時に、トリガー部２０３は、固定部材４０１に対し回転するように弾性部材４０２をトリガーし、ボタン４０３を押圧して制御回路をオンにし、回転ブラシアセンブリーが正常に作動できる。一方、回転ブラシカバー２０が開く時に、トリガー部２０３が弾性部材４０２から離れ、弾性部材４０２が復帰する。ボタン４０３に対する圧力が解除されるため、ボタン４０３が自動的に復帰し、制御回路をオフにする。よって、回転ブラシアセンブリーの作動が停止し、使用者を傷つけることを回避する。もちろん、本発明は、これらに限定されない。図４と図６に示すように、弾性部材４０２は、固定部４０２１と弾性部４０２２を更に含んでもよい。具体的に、固定部４０２１は、一端が固定部材４０１に固定される。弾性部４０２２は、一端が固定部４０２１の他端に接続し、他端がボタン４０３まで伸びる。図２と図４に示すように、ボタン４０３は、弾性部４０２２の一端に接近することが好ましい。
【００５７】
図４と図６に示すように、弾性部材４０２は、Ｌ形状弾性片であってもよい。
【００５８】
上述した実施形態において、マイクロスイッチ４０は、回転ブラシアセンブリーの制御回路に接続する固定部材４０１と、弾性部材４０２と、当該制御回路のオンオフを制御できるボタン４０３とを含む。ボタン４０３は、自然状態において、制御回路をオフにする。ボタン４０３が押圧されると、制御回路をオンにする。圧力が解除されると、自動的に復帰できる。弾性部材４０２は、ボタン４０３を押圧するためのものである。具体的に、回転ブラシカバー２０が被せて結合する時に、トリガー部２０３は、弾性部材４０２に圧力を与え、弾性部材４０２に弾性変形が生じ、ボタン４０３を押圧し、制御回路をオンにし、回転ブラシアセンブリーが正常に動作する。一方、回転ブラシカバー２０の開放時に、トリガー部２０３が弾性部材４０２から離れ、弾性部材４０２が復帰する。ボタン４０３に対する圧力が解除されるため、ボタン４０３が自動的に復帰し、制御回路をオフにする。よって、回転ブラシアセンブリーの作動が停止し、使用者を傷つけることを回避する。
【００５９】
もちろん、当業者は、以下のことを理解すべきである。マイクロスイッチ４０は、上述した構造に限定されず、小さいボタン４０３であってもよく、ほかの構造であってもよく、マイクロスイッチの機能を果たせばよい。従って、これらの技術案も本発明の保護範囲内に含まれる。
【００６０】
弾性部材４０２は、固定部４０２１と弾性部４０２２を含む。固定部４０２１は、弾性部材４０２を固定部材４０１に固定させ、弾性部材４０２の位置ずれを回避することにより、マイクロスイッチ４０の使用信頼性を確保する。弾性部４０２２は、弾性を持ち、弾性変形が生じてボタン４０３に作用力を付加することにより、ボタン４０３で制御回路をオンにする。且つ、弾性部４０２２から固定部材４０１の表面までの距離を、ボタン４０３の自然状態での高さ以上にすることにより、ボタン４０３が弾性部材４０２と固定部材４０１の間に位置することを確保する。
【００６１】
弾性部４０２２と固定部４０２１とが接続される一端に接近するようにボタン４０３を設けると、弾性部４０２２の他端は、ボタン４０３から比較的に離れる。回転ブラシカバー２０の回転し被せる技術案について、回転ブラシカバー２０が完全に床ブラシ本体１０に被せて結合するときにだけ、弾性部４０２２は、制御回路をオンにする位置までにボタン４０３を押圧することができる。一方、回転ブラシカバー２０の回転し被せる過程では、ボタン４０３により制御回路をオンにすることができない。よって、回転ブラシカバー２０がまだ完全に被せて結合していないうちに回転ブラシ３０１が作動し始まることを避け、製品の安全性を更に向上させる。
【００６２】
本発明の別の実施形態において、床ブラシ１０は、床ブラシ本体１０に設けられ、マイクロスイッチ４０と結合する伝動部材を更に含む。回転ブラシカバー２０が床ブラシ本体１０に被せて結合すると、トリガー部２０３は、伝動部材をトリガーして、伝動部材を介してマイクロスイッチ４０をトリガーする。
【００６３】
上述した実施形態において、トリガー部２０３が伝動部材介してマイクロスイッチ４０をトリガーし、即ち、回転ブラシカバー２０が床ブラシ本体１０に被せて結合するときに、マイクロスイッチ４０に直接接触せずに、マイクロスイッチ４０を間接的にトリガーするが、同様に、本発明の目的を達成することができる。具体的に、回転ブラシカバー２０が被せて結合する時に、トリガー部２０３は、伝動部材に作用力を付加して運動させ、更にマイクロスイッチ４０をトリガーして制御回路をオンにする。一方、回転ブラシカバー２０が開く時に、トリガー部２０３が伝動部材から離れ、伝動部材に対する作用力がなくなり、伝動部材のマイクロスイッチ４０対する作用力もなくなり、マイクロスイッチ４０が復帰し、制御回路をオフにする。
【００６４】
本発明の第２実施形態の掃除機は、本発明の上述した第１実施形態の掃除機用床ブラシ１を含む。
【００６５】
以上の記載を以下にまとめる。本発明の実施形態による掃除機用床ブラシにおいて、床ブラシ本体１０には、上下に貫通する開口を有する取付溝１１が設けられる。回転ブラシは、取付溝１１に回転可能に取り付けられ、取付溝１１の下端開口を通しててカーペットなどを清掃することにより、正常な清掃機能が実現される。回転ブラシの洗浄や交換時、まず回転ブラシカバー２０の他端と床ブラシ本体１０の係合を解除し、それから回転ブラシカバー２０の一端を床ブラシ本体１０から抜き出し、回転ブラシを取付溝１１の上端の開口から取り出すだけで、回転ブラシの洗浄や交換を便利に行うことができ、操作が簡単であり、使用が便利であり、手間がかからない。床ブラシを反転させてからの回転ブラシ交換による操作の不便、使用上の不便という従来技術における問題を解決し、ユーザによる使用の便利さが向上する。
【００６６】
回転ブラシカバー２０が被せて結合する時に、トリガー部２０３が直接又は間接的にマイクロスイッチ４をトリガーするため、回転ブラシアセンブリーの制御回路がオンになり、駆動部材により回転ブラシ３０１を回転駆動し、掃除機を正常に作動させる。一方、回転ブラシカバー２０が開く時に、トリガー部２０３のトリガー作用が解除されるため、マイクロスイッチ４０が復帰し、回転ブラシアセンブリーの制御回路がオフになり、駆動部材の動作が停止して回転ブラシ３０１の回転を停止させ、使用者を傷つけることがない。
【００６７】
なお、トリガー部２０３は、回転ブラシカバー２００に単独に設けられる部材であってもよく、回転ブラシカバー２００の一部であってもよく、いずれもマイクロスイッチ４０に対するトリガー機能を果たせ、いずれも本発明の保護範囲に含まれる。これについて、当業者が理解すべきである。
【００６８】
本発明の実施形態による掃除機は、上述した第１実施形態の床ブラシ１０を設けたため、比較的高い安全性を有し、使用者の誤操作で回転ブラシカバー２０を開放させたとき、使用者を傷つけることがない。
【００６９】
以上の記載を以下にまとめる。本発明による床ブラシ１０において、回転ブラシカバー２０にトリガー部２０３を設け、トリガー部２０３がマイクロスイッチ４０と結合する。回転ブラシカバー２０が被せて結合する時に、トリガー部２０３は、直接又は間接的にマイクロスイッチ４０をトリガーし、回転ブラシを正常に作動させる。一方、回転ブラシカバー２０が開く時に、トリガー部２０３のマイクロスイッチ４０に対すトリガー作用が解除させ、回転ブラシの作動を停止させる。よって、使用者が誤操作で回転ブラシカバー２０を開いたときに、誤って使用者を傷つけることを回避する。製品の安全性が向上し、製品の市場競争力が高まる。
【００７０】
具体的に、従来の掃除機において、回転ブラシカバーが開く時に、回転ブラシが依然として作動するため、使用者を誤って傷つける恐れがある。一方、本発明による床ブラシ１０において、回転ブラシカバー２０が開く時に、回転ブラシの作動を停止させるため、使用者を傷つけることがない。よって、製品の安全性が向上し、製品の市場競争力が高まる。具体的に、回転ブラシカバー２０が被せて結合する時に、トリガー部２０３は、直接又は間接的にマイクロスイッチ４０をトリガーし、回転ブラシアセンブリーの制御回路をオンにし、駆動部材により回転ブラシを回転駆動し、掃除器を正常に作動させる。一方、回転ブラシカバー２０が開く時に、トリガー部２０３のトリガー作用が解除され、マイクロスイッチ４０が復帰し、回転ブラシアセンブリーの制御回路がオフになり、駆動部材の作動が停止して回転ブラシの回転を停止させ、使用者を傷つけることがない。
【００７１】
本発明の説明において、「一つの実施形態」、「一部の実施形態」、「例示的な実施形態」、「示例」、「具体的な示例」、或いは「一部の示例」などの用語を参考した説明とは、該実施形態或いは示例に結合して説明された具体的な特徴、構成、材料或いは特徴が、本発明の少なくとも一つの実施形態或いは示例に含まれることである。本明細書において、上記用語に対する例示的な描写は、必ずしも同じ実施形態或いは示例を示すことではない。又、説明された具体的な特徴、構成、材料或いは特徴は、いずれか一つ或いは複数の実施形態又は示例において適切に結合することができる。
【００７２】
本発明の実施形態を示して説明したが、当業者は、本発明の原理及び主旨から逸脱することなく、これらの実施形態に対して各種の変化、補正、切り替え及び変形を行うことができる。本発明の範囲は、特許請求の範囲及びその等価物により限定される。
【符号の説明】
【００７３】
１：床ブラシ
１０：床ブラシ本体
１１：取付溝
１２：凹溝
１３：スナップ
１４：取付孔
１５：解放キー
１６：連通孔
３１：突起
２０：回転ブラシカバー；
２０１：蓋体
２０２：回転軸
２０３：トリガー部
３０：回転ブラシアセンブリー
３０１：回転ブラシ
４０：マイクロスイッチ
４０１：固定部材
４０２：弾性部材
４０２１：固定部
４０２２：弾性部
４０３：ボタン。
【図１】
2017121465.tif 000003
【図２】
2017121465.tif 000004
【図３】
2017121465.tif 000005
【図４】
2017121465.tif 000006
【図５】
2017121465.tif 000007
【図６】
2017121465.tif 000008